(57)【特許請求の範囲】
【請求項１】
スクリーン(11)を引出し可能に巻取る巻取パイプ(12)が一対の支持部材(13,14)に回転可能に支持され、前記巻取パイプ(12)に巻取ばね(16)が内蔵され、前記スクリーン(11)を前記巻取パイプ(12)に巻取る方向に回転させるためのばね力が前記巻取ばね(16)に蓄えられるように構成されたロールスクリーンにおいて、
前記巻取ばね(16)の一端がばね力保持機構(36)を介して一方の支持部材(13)に取付けられかつ前記巻取ばね(16)の他端が前記巻取パイプ(12)に連結され、
前記ばね力保持機構(36)が前記巻取ばね(16)に蓄えられたばね力を前記スクリーン(11)の任意の引出し位置で解放不能に保持するように構成された
ことを特徴とするロールスクリーン。
【請求項２】
前記ばね力保持機構(36)が、前記巻取パイプ(12)が前記巻取ばね(16)とともに回転するばね供回り位置と、前記巻取パイプ(12)が前記巻取ばね(16)とは独立して自由に回転するフリー回転位置とのいずれか一方に切換える切換手段(37)を備えた請求項１記載のロールスクリーン。
【請求項３】
前記切換手段(37)が、前記巻取パイプ(12)に軸方向に摺動可能であって円周方向に回転不能に取付けられたスライド部材(38)と、前記一方の支持部材(13)に設けられ前記スライド部材(38)が係脱することにより前記ばね供回り位置と前記フリー回転位置とに切換える可動片(39)とを有する請求項２記載のロールスクリーン。
【発明の詳細な説明】
【技術分野】
【０００１】
本発明は、巻取パイプに内蔵された巻取ばねに蓄えられたばね力によってスクリーンを巻取り可能なロールスクリーンに関するものである。
【背景技術】
【０００２】
従来、この種のロールスクリーンでは、巻取パイプにクラッチ機構が内蔵され、このクラッチ機構によりスクリーンを所望の長さだけ巻取パイプから引出した状態で一時的に固定できるようになっている。そして、スクリーンを交換又は洗濯するために巻取パイプから取外すときには、スクリーンを巻取ばねのばね力に抗して巻取パイプから全て引出し、スクリーンが巻取パイプに巻取られる方向への巻取パイプの回転を上記クラッチ機構により阻止する。これにより全てのスクリーンを巻取パイプから引出した状態でクラッチ機構により一時的に固定されるので、スクリーンを巻取パイプから取外すことができる。
【０００３】
しかし、上記従来のロールスクリーンでは、意図せずに巻取パイプを所定の角度以上回転させると、クラッチ機構が解除されて巻取ばねのばね力により巻取パイプが回転し、巻取パイプの巻取ばねによる初巻きが解除されてしまう問題点があった。ここで、初巻きとは、スクリーンが巻取パイプに全て巻取られた状態で、巻取ばねに蓄えられているスクリーンの巻取り方向へのばね力をいう。
【０００４】
この点を解消するための機構を備えたロールスクリーンやロールブラインドが例えば特許文献１及び２に開示されている。特許文献１に示されたロールスクリーンでは、巻取ばねの一端が巻取パイプの側部に配置した支持手段に固定可能に構成され、巻取ばねの他端が巻取パイプに連結される。また支持手段による巻取ばねの一端の固定を解除した状態に保持することにより、巻取パイプを回転させることなく、巻取ばねに付与されたばね力を解放できるように構成される。このように構成されたロールスクリーンでは、巻取ばねの一端を固定解除状態に保持することができるため、この固定解除状態で巻取ばねの一端を解放しそのばね力を完全に解除することができる。このようにばね力を完全に解除した状態では、巻取ばねが意図せずに回転することはないので、安心してスクリーンの交換作業を行うことができる。
【０００５】
また、特許文献２に示されたロールブラインドでは、取付面に固定される一対のサイドブラケット面に巻取り軸が回転可能に支持され、巻取り軸からスクリーンを垂下して巻取り軸を回転させることによりスクリーンが昇降するように構成される。また巻取り軸内にこの巻取り軸をスクリーン巻取り方向に付勢手段が付勢し、この付勢手段の付勢力による巻取り軸の回転がクラッチ装置により阻止されてスクリーンを所望位置に吊下げ支持するように構成される。更に巻取り軸の回転を阻止するストッパ装置が、サイドブラケットと巻取り軸端部のパイプキャップに挿通されるロック棒を有する。このように構成されたロールブラインドでは、サイドブラケットと巻取り軸端部のパイプキャップにロック棒を挿通することにより、巻取り軸へのスクリーンの着脱操作時に、クラッチ装置の無用な作動解除を防止できる。
【先行技術文献】
【特許文献】
【０００６】
【特許文献１】特開２００６−２２５９９２号公報（請求項１、段落［００１５］）
【特許文献２】特開２００７−２９７７７９号公報（請求項１、段落［００１６］）段落［００２６］）
【発明の概要】
【発明が解決しようとする課題】
【０００７】
しかし、上記従来の特許文献１に示されたロールブラインドでは、使用済みのスクリーンを巻取パイプから取外すときに、巻取ばねのばね力を完全に解除してしまうため、新しいスクリーン又は洗濯したスクリーンを巻取パイプに取付けた後に、解除されたばね力を巻取ばねに付与する作業が必要であり、スクリーンの着脱作業に多くの時間を要する不具合があった。また、上記従来の特許文献２に示されたロールブラインドでは、スクリーンの交換時又は洗濯時にのみ使用するロック棒が別部品として必要であるため、ロック棒を紛失するおそれがあった。更に、上記従来の特許文献２に示されたロールブラインドでは、通常、見栄えの向上のためにサイドブラケットにエンドカバーが取付けられるけれども、ロック棒をサイドブラケットと巻取り軸端部のパイプキャップに挿通するときに、エンドカバーを外すか或いはエンドカバーにロック棒を挿通するための孔をあける必要があり、作業性が低下したり、或いはエンドカバーの見栄えを損なうおそれがあった。
【０００８】
本発明の目的は、スクリーンの交換又は洗濯等を行うために、スクリーンを巻取パイプから取外すとき又は巻取パイプに取付けるとき、巻取ばねのばね力が意図せずに解除されることがなく、また部品を紛失するおそれがなく、見栄えを損なわずに、上記スクリーンの脱着作業を比較的無造作にかつ極めて短時間で容易に行うことができる、ロールスクリーンを提供することにある。
【課題を解決するための手段】
【０００９】
本発明の第１の観点は、図１〜図４及び図７に示すように、スクリーン１１を引出し可能に巻取る巻取パイプ１２が一対の支持部材１３，１４に回転可能に支持され、巻取パイプ１２に巻取ばね１６が内蔵され、スクリーン１１を巻取パイプ１２に巻取る方向に回転させるためのばね力が巻取ばね１６に蓄えられるように構成されたロールスクリーンにおいて、巻取ばね１６の一端がばね力保持機構３６を介して一方の支持部材１３に取付けられかつ巻取ばね１６の他端が巻取パイプ１２に連結され、ばね力保持機構３６が巻取ばね１６に蓄えられたばね力をスクリーン１１の任意の引出し位置で解放不能に保持するように構成されたことを特徴とする。
【００１０】
本発明の第２の観点は、第１の観点に基づく発明であって、更に図１〜図４に示すように、ばね力保持機構３６が、巻取パイプ１２が巻取ばね１６とともに回転するばね供回り位置と、巻取パイプ１２が巻取ばね１６とは独立して自由に回転するフリー回転位置とのいずれか一方に切換える切換手段３７を備えたことを特徴とする。
【００１１】
本発明の第３の観点は、第２の観点に基づく発明であって、更に図１〜図４及び図６に示すように、切換手段３７が、巻取パイプ１２に軸方向に摺動可能であって円周方向に回転不能に取付けられたスライド部材３８と、一方の支持部材１３に設けられスライド部材３８が係脱することによりばね供回り位置とフリー回転位置とに切換える可動片３９とを有することを特徴とする。
【発明の効果】
【００１２】
本発明の第１の観点のロールスクリーンでは、ばね力保持機構が巻取ばねに蓄えられたばね力をスクリーンの任意の引出し位置で解放不能に保持するので、スクリーンを巻取パイプから全て又は殆ど全て引出した状態で、ばね力保持機構により巻取ばねのばね力を解放不能に保持すると、スクリーンを巻取パイプから取外すとき又は巻取パイプに取付けるときに、巻取パイプが所定の角度以上で回転しても、巻取ばねのばね力が意図せずに解除されることはない。この結果、スクリーンの巻取パイプへの脱着作業を慎重に行うことなく比較的無造作に行うことができるので、この作業を極めて短時間で容易に行うことができる。またスクリーンの交換時又は洗濯時にのみ使用する別部品のロック棒を紛失するおそれがあった従来のロールブラインドと比較して、本発明のロールスクリーンでは、上記ロック棒を用いずに済むため、ロック棒の紛失という事態が生じることはない。更にロック棒をサイドブラケットと巻取り軸端部のパイプキャップに挿通するために、エンドカバーを外すか或いはエンドカバーにロック棒を挿通するための孔をあけることにより、作業性が低下したり或いはエンドカバーの見栄えを損なうおそれがあった従来のロールブラインドと比較して、本発明のロールスクリーンでは、スクリーンの巻取パイプへの脱着作業時にエンドカバーを外す必要がなく、またエンドカバーに孔をあける必要もないため、上記脱着作業性が低下することはなく、エンドカバーの見栄えを損なうこともない。
【００１３】
本発明の第２の観点のロールスクリーンでは、スクリーンを巻取パイプから全く引出さない状態或いは僅かに引出した状態で、切換手段をフリー回転位置に切換える場合には、巻取パイプが巻取ばねとは独立して自由に回転するので、巻取パイプに巻取ばねのばね力を全く作用させることなく、スクリーンを巻取パイプから引出すことができる。この結果、スクリーンを巻取パイプから引出す作業が容易になる。またスクリーンを巻取パイプから全て又は殆ど全て引出した後に、切換手段をフリー回転位置に切換える場合には、スクリーンを巻取パイプから引出すときに、スクリーンを巻取ばねのばね力に抗して引出す必要があるけれども、交換又は洗濯したスクリーンの一端を巻取パイプに取付けた後に切換手段をばね供回り位置に切換えることにより、巻取ばねのばね力によりスクリーンを巻取パイプに巻取ることができる。この結果、スクリーンを巻取パイプに巻取る作業が容易になる。
【００１４】
本発明の第３の観点のロールスクリーンでは、スクリーンを巻取パイプから全く引出さない状態或いは僅かに引出した状態で、切換手段のスライド部材を可動片に係止させる場合には、切換手段がフリー位置に切換わって、巻取パイプが巻取ばねとは独立して自由に回転するので、上記と同様に、巻取パイプに巻取ばねのばね力を全く作用させることなく、スクリーンを巻取パイプから引出すことができる。この結果、スクリーンを巻取パイプから引出す作業が容易になる。またスクリーンを巻取パイプから全て又は殆ど全て引出した状態で、切換手段のスライド部材を可動片に係止させる場合には、切換手段がフリー位置に切換わって、巻取パイプが巻取ばねとは独立して自由に回転するため、スクリーンを巻取パイプから引出すときに、スクリーンを巻取ばねのばね力に抗して引出す必要があるけれども、交換又は洗濯したスクリーンの一端を巻取パイプに取付けた後に、切換手段のスライド部材を可動片から離脱させて、切換手段をばね供回り位置に切換えると、上記と同様に、巻取ばねのばね力によりスクリーンを巻取パイプに巻取ることができる。この結果、スクリーンを巻取パイプに巻取る作業が容易になる。
【図面の簡単な説明】
【００１５】
【図１】本発明実施形態のロールスクリーンを示す図３のＡ−Ａ線断面図である。
【図２】図４のＢ−Ｂ線断面図である。
【図３】初巻調整用ケースを取外した状態を示す図１のＣ−Ｃ線断面図である。
【図４】初巻調整用ケースを取外した状態を示す図２のＤ−Ｄ線断面図である。
【図５】図１のＥ−Ｅ線断面図である。
【図６】スライド部材を巻取パイプに取付ける直前の状態を示す要部斜視図である。
【図７】そのロールスクリーンの縦断面図である。
【発明を実施するための形態】
【００１６】
次に本発明を実施するための形態を図面に基づいて説明する。図７に示すように、ロールスクリーン１０は、スクリーン１１を引出し可能に巻取る巻取パイプ１２と、この巻取パイプ１２の両端を回転可能に支持する一対のサイドプレート１３，１４と、巻取パイプ１２に内蔵された巻取ばね１６とを備える。部屋の窓枠の上縁等には水平方向に延びるセットフレーム１７が設けられる。このセットフレーム１７の両端に上記一対のサイドプレート１３，１４が取付けられ、これらのサイドプレート１３，１４に巻取パイプ１２が回転可能に支持される。巻取パイプ１２内には、一方のサイドプレート１３側（図７の右側）から他方のサイドプレート１４側（図７の左側）に向って、初巻調整装置１８、常時制動装置１９、過回転時制動装置２１及び操作クラッチ２２がこの順に並んで配設される。
【００１７】
図１及び図２に示すように、初巻調整装置１８は、一方のサイドプレート１３に回転可能に取付けられかつ一端面にプラスドライバ（図示せず）の先端部を挿入可能な十字穴２３ａが形成された調整軸２３と、一端が調整軸２３の他端に相対回転不能に結合された中間軸２４と、一端が中間軸２４の他端に所定の角度だけ揺動可能に結合された出力軸２６と、調整軸２３の外周面を囲むように一方のサイドプレート１３に固定された固定リング２７と、固定リング２７の外周縁を囲みかつ固定リング２７に対して相対回転可能に設けられた回転リング２８と、上記出力軸２６の一端部と中間軸２４を収容するように回転リング２８に取付けられた初巻調整用ケース２９とを有する。初巻調整用ケース２９と出力軸２６との間には初巻用クラッチばね３１が収容される（図１、図２及び図５）。この初巻用クラッチばね３１は捩りコイルばねであり、巻取ばね１６にばね力を付与する方向への調整軸２３の回転を許容し、巻取ばね１６に付与されたばね力を解除する方向への調整軸２３の回転を阻止する機能を有する。また巻取パイプ１２の一端にはパイプ挿着部材１２ａが挿着され、巻取パイプ１２の一端はパイプ挿着部材１２ａを介して初巻調整用ケース２９に相対回転可能に嵌入される。
【００１８】
出力軸２６の他端には固定軸３２の一端が相対回転不能に結合され、固定軸３２の他端には動輪３３が相対回転可能に嵌入される（図１、図２及び図７）。動輪３３は巻取パイプ１２に相対回転不能に挿入され、固定軸３２の一端には固定輪３４が相対回転不能に嵌入される。巻取ばね１６は捩りコイルばねである。巻取ばね１６の一端は、固定輪３４と初巻調整装置１８とばね力保持機構３６とを介して一方のサイドプレート１３に取付けられ、巻取ばね１６の他端は動輪３３を介して巻取パイプ１２に結合される。そして調整軸２３を回転させることにより、スクリーン１１を巻取パイプ１２に巻取る方向に回転させるためのばね力が巻取ばね１６に蓄えられるように構成される。
【００１９】
ばね力保持機構３６は、巻取パイプ１２が巻取ばね１６とともに回転するばね供回り位置（図１及び図３）と、巻取パイプ１２が巻取ばね１６とは独立して自由に回転するフリー回転位置（図２及び図４）とのいずれか一方に切換える切換手段３７を備える。この切換手段３７は、巻取パイプ１２に軸方向に摺動可能であって円周方向に回転不能に取付けられたスライド部材３８と、一方のサイドプレート１３に設けられスライド部材３８が係脱することによりばね供回り位置とフリー回転位置とに切換える可動片３９とを有する。スライド部材３８は、外径が巻取パイプ１２の外径より僅かに大径に形成され内径が回転リング２８の外径及び初巻調整用ケース２９の外径より僅かに大きく形成され巻取パイプ１２の一端面に離脱可能に当接するスライドリング部３８ａと、スライドリング部３８ａと一体的に設けられスライドリング部３８ａの内周面から半径方向内側に向って突設された３つのスライド突片３８ｂと、これらの突片３８ｂと一体的に設けられ突片３８ｂの先端からスライドリング部３８ａの中心線に平行に延びる３本のスライド脚部３８ｃとからなる（図１〜図４及び図６）。３つのスライド突片３８ｂ及び３本のスライド脚部３８ｃはスライドリング部３８ａに円周方向に等間隔（１２０度毎）に配設される。
【００２０】
３本のスライド脚部３８ｃは巻取パイプ１２に軸方向に摺動可能であって円周方向に回転不能に挿入される。具体的には、巻取パイプ１２の一端に挿着されたパイプ挿着部材１２ａの外周面には、円周方向に等間隔（１２０度毎）であって軸方向に延びる３つの挿入凹部１２ｂが形成され、これらの挿入凹部１２ｂに３本のスライド脚部３８ｃが摺動可能に挿入される（図１、図２及び図６）。これらのスライド脚部３８ｃの先端近傍にはスライド脚部３８ｃの軸方向への摺動に対して抵抗を付与する抵抗付与突起３８ｄがそれぞれ設けられる。また固定リング２７には、円周方向に等間隔（１２０度毎）であって固定リング２７の中心に向って延びる３つの固定用凹部２７ａが形成される。回転リング２８には、円周方向に等間隔（１２０度毎）であって半径方向に延びる３つの回転用凹溝２８ａが形成される。更に初巻調整用ケース２８には、円周方向に等間隔（１２０度毎）であってこのケース２８の中心に向って延びる３つのケース用凹部２９ａが形成される。各回転用凹溝２８ａと各ケース用凹部２９ａとはそれぞれ一致して配設されるとともに、各回転用凹溝２８ａと各ケース用凹部２９ａには各スライド突片３８ｂが挿入可能に構成される。
【００２１】
可動片３９は３つの固定用凹部２７ａに収容されるとともに、圧縮コイルばね４１により固定用凹部２７ａの外方に突出するように付勢される（図３及び図４）。そして３つの可動片３９は、回転リング２８及び初巻調整用ケース２９を回転させて回転用凹溝２８ａ及びケース用凹部２９ａが固定用凹部２７ａに一致したときに、先端部が回転用凹溝２８ａ内に突出するように構成される。また可動片３９の先端部のうちスライド突片３８ｂに対向する面には先端に向うに従って低くなるように傾斜する傾斜面３９ａが形成される。更に固定用凹部２７ａの外端側部には一対の被係合突起２７ｂ，２７ｂが互いに近づく方向に突出して設けられ、可動片３９の基端側部には一対の係合突起３９ｂ，３９ｂが互いに離れる方向に突出して設けられる。可動片３９の係合突起３９ｂが固定用凹部２７ａの被係合突起２７ｂに係合することにより、可動片３９の基端部が固定用凹部２９ａから飛び出すのを阻止するようになっている。
【００２２】
スライド部材３８のスライド突片３８ｂが可動片３９の傾斜面３９ａに圧接されることにより、３つの可動片３９の先端部が圧縮コイルばね４１の弾性力に抗して３つの固定用凹部２７内にそれぞれ押込まれて、切換手段３７がフリー位置に切換わるため、巻取パイプ１２が巻取ばね１６とは独立して自由に回転し、巻取ばね１６に蓄えられたばね力がスクリーン１１の任意の引出し位置で解放不能に保持されるように構成される（図２及び図４）。またスライド突片３８ｂが可動片３９から離脱することにより、３つの可動片３９の先端部が圧縮コイルばね４１の弾性力により３つの回転用凹溝２８ａ内に突出して、切換手段３７がばね供回り位置に切換わるため、操作クラッチ２２により巻取ばね１６のばね力による巻取パイプ１２の巻取り方向への回転が許容されているとき、巻取ばね１６に蓄えられたばね力が巻取パイプ１２に伝達されるように構成される（図１及び図３）。
【００２３】
図７に示すように、操作クラッチ２２は、他方のサイドプレート１４に回転不能に支持された操作クラッチ用固定軸２２ａと、他方のサイドプレート１４に回転可能に支持された操作クラッチ用ケース２２ｂと、操作クラッチ用固定軸２２ａに嵌着され外周面にカム溝（図示せず）が形成された操作クラッチ用ドラム２２ｃと、操作クラッチ用ケース２２ｂの内周面に操作クラッチ用固定軸２２ａの軸方向に延びて形成されたガイド溝（図示せず）と、カム溝とガイド溝との重なる空間内を転動する操作クラッチ用転動体（図示せず）とを有する。操作クラッチ用ケース２２ｂには巻取パイプ１２の他端が相対回転不能に嵌入される。この操作クラッチ２２は、スクリーン１１を巻取る方向に巻取パイプ１２に巻取ばね１６のばね力が作用している状態でスクリーン１１を僅かに引出して放すと、巻取ばね１６のばね力による巻取パイプ１２の巻取り方向への回転を阻止し、この巻取パイプ１２の巻取り方向への回転が阻止された状態でスクリーン１１を僅かに引出して放すと、巻取ばね１６のばね力による巻取パイプ１２の巻取り方向への回転を許容するように構成される。
【００２４】
常時制動装置１９は、常時制動クラッチ４２と常時ロータリダンパ４３とを備える（図７）。常時制動クラッチ４２は、常時クラッチ用ケース４２ａと常時クラッチ機構４２ｂとを有する。また常時ロータリダンパ４３は、常時ダンパ用ケース４３ａと、このケース４３ａに遊挿された常時ダンパ用軸部４３ｂと、ケース４３ａ及び軸部４３ｂ間に介装された常時ダンパ用回転抵抗付与部（図示せず）とを有する。常時ダンパ用軸部４３ｂは常時ダンパ用ケース４３ａ内から常時クラッチ用ケース４２ａ内に延びて設けられる。常時ダンパ用軸部４３ｂの一端は固定軸３２の他端に相対回転可能に結合される。また常時ダンパ用ケース４３ａは常時クラッチ用ケース４２ａ及び動輪３３を介して巻取パイプ１２と一体的に回転するように構成される。巻取パイプ１２がスクリーン１１の巻取り方向に回転すると、常時クラッチ機構４２ｂにより常時ダンパ用軸部４３ｂが固定軸３２に固定されて、常時ダンパ用回転抵抗付与部で有効な回転抵抗が発生するため、常時ダンパ用ケース４３ａ及び巻取パイプ１２の回転を抑制し、巻取パイプ１２がスクリーン１１の引出し方向に回転すると、常時ダンパ用軸部４３ｂが常時クラッチ機構４２ｂにより固定軸３２に固定されず、常時ダンパ用回転抵抗付与部で有効な回転抵抗が発生しないため、常時ダンパ用軸部４３ｂは常時ダンパ用ケース４３ａ及び巻取パイプ１２とともに回転するように構成される。即ち、常時ロータリダンパ４３は、スクリーン１１の巻取り中に常時ダンパ用回転付与部で回転抵抗が発生するため、常に巻取パイプ１２を減速させ、スクリーン１１の引出し中に常時ダンパ用回転抵抗付与部で回転抵抗が発生しないため、巻取パイプ１２を減速させないように構成される。これにより常時制動装置４２はスクリーン１１の上昇速度を常に減速するようになっている。
【００２５】
過回転時制動装置２１は過回転時ロータリダンパ４４と過回転時制動クラッチ４６とを備える（図７）。過回転時ロータリダンパ４４は、過回転時ダンパ用ケース４４ａと、このケース４４ａに遊挿された過回転時ダンパ用軸部４４ｂと、ケース４４ａ及び軸部４４ｂ間に介装された過回転時ダンパ用回転抵抗付与部（図示せず）とを有する。また過回転時制動クラッチ４６は、過回転時クラッチ用ケース４６ａと、このケース４６ａ内に遊挿された過回転時クラッチ用ガイド軸４６ｂと、ケース４６ａ及びガイド軸４６ｂ間に挿入された過回転時クラッチ用スライド駒４６ｃ及び過回転時クラッチ用ロータリ駒４６ｄとを有する。過回転時ダンパ用ケース４４ａの一端は常時ダンパ用ケース４３ａに相対回転不能に結合され、過回転時ダンパ用ケース４４ａの他端は過回転時クラッチ用ケース４６ａの一端に相対回転不能に挿入される。また過回転時クラッチ用ケース４６ａの他端は操作クラッチ用ケース２２ｂと連結具を介して相対回転不能に結合され、巻取パイプ１２と一体的に回転するように構成される。過回転時ダンパ用軸部４４ｂの一端は常時ダンパ用軸部４３ｂの他端に相対回転可能に結合され、過回転時ダンパ用軸部４４ｂの他端は過回転時クラッチ用ガイド軸４６ｂの一端に相対回転可能に結合され、過回転時クラッチ用ガイド軸４６ｂの他端は操作クラッチ用固定軸２２ａの一端に相対回転不能に結合される。
【００２６】
また過回転時クラッチ用ガイド軸４６ｂは過回転時クラッチ用ケース４６ａ内に延びて設けられる。過回転時クラッチ用ケース４６ａの内周面には雌ねじ４６ｅが形成され、過回転時クラッチ用スライド駒４６ｃの外周面には上記雌ねじ４６ｅと螺合する雄ねじ４６ｆが形成される。この過回転時クラッチ用スライド駒４６ｃは過回転時クラッチ用ガイド軸４６ｂに対して回転不能であって軸方向に摺動可能に嵌入される。過回転時クラッチ用ガイド軸４６ｂの一端には過回転時クラッチ用ロータリ駒４６ｄが相対回転可能に嵌入され、この過回転時クラッチ用ロータリ駒４６ｄは過回転時ダンパ用軸部４４ｂと一体的に回転するように結合される。過回転時クラッチ用スライド駒４６ｃ及び過回転時クラッチ用ロータリ駒４６ｄには、互いに近接したときに相互に係合する突起４６ｇ，４６ｈが相対する端面にそれぞれ形成される。
【００２７】
過回転時ダンパ用ケース４４ａは過回転時クラッチ用ケース４６ａ及び操作クラッチ用ケース２２ｂを介して巻取パイプ１２と一体的に回転するように構成される。即ち、スクリーン１１の昇降中に、過回転時ダンパ用ケース４４ａは常に巻取パイプ１２と一体的に回転するように構成される。そして、過回転時クラッチ用スライド駒４６ｃの突起４６ｇと過回転時クラッチ用ロータリ駒４６ｄの突起４６ｈとが分離しているとき、過回転時ダンパ用軸部４４ｂは過回転時ダンパ用ケース４４ａとともに回転し、過回転時ダンパ用回転抵抗付与部で有効な回転抵抗が発生しないため、過回転時制動装置２１は減速作用を発揮しないように構成される。一方、過回転時クラッチ用スライド駒４６ｃの突起４６ｇと過回転時クラッチ用ロータリ駒４６ｄの突起４６ｈとが結合しているとき、過回転時ダンパ用軸部４４ｂの回転が停止し、過回転時ダンパ用回転抵抗付与部で有効な回転抵抗が発生するため、過回転時制動装置２１は減速作用を発揮するように構成される。これにより、過回転時制動装置２１はスクリーン１１の巻取り時に巻取パイプ１２の回転速度が上限値近くまで上昇したときに巻取パイプ１２の回転速度がそれ以上上昇するのを抑制するようになっている。
【００２８】
このように構成されたロールスクリーン１０の動作を説明する。スクリーン１１の交換又は洗濯を行うとき、スクリーン１１を巻取パイプ１２から全て又は殆ど全て引出した状態で、ばね力保持機構３６により巻取ばね１６のばね力を解放不能に保持する。具体的には、スライド部材３８を摺動させて、スライド部材３８の３つのスライド突片３８ｂを３つの可動片３９の傾斜面３９ａにそれぞれ圧接する。このとき３つの可動片３９の先端部が圧縮コイルばね４１の弾性力に抗して３つの固定用凹部２７ａ内にそれぞれ押込まれて、切換手段３７がフリー位置に切換わるため（図２及び図４）、巻取パイプ１２が巻取ばね１６とは独立して自由に回転し、巻取ばね１６に蓄えられたばね力がスクリーン１１の任意の引出し位置で解放不能に保持される。即ち、初巻調整装置１８の回転リング２８の固定リング２７への固定が解除されて、巻取パイプ１２がスライド部材３８、回転リング２８、初巻調整用ケース２９、調整軸２３、中間軸２４、出力軸２６、固定軸３２、巻取ばね１６、常時制動装置１９、過回転時制動装置２１及び操作クラッチ２２とともに自由に回転する。この状態で巻取パイプ１２を所定の角度以上回転させても、巻取ばね１６のばね力が意図せずに解除されることはない。但し、切換手段３７をフリー回転位置に切換えたときに、操作クラッチ２２は完全にフリーになっているのではなく、巻取パイプ１２が操作クラッチ２２により一時的に固定される場合があるけれども、スクリーン１１を引出す方向に巻取パイプ１２を僅かに回転させることにより、上記巻取パイプ１２の一時的な固定が解除される。
【００２９】
この状態でスクリーン１１を巻取パイプ１２から取外して交換又は洗濯を行った後に、新しいスクリーン１１又は洗濯したスクリーン１１を巻取パイプ１２に取付ける。そしてスライド部材３８を上記とは反対方向に摺動させてスライド突片３８ｂを可動片３９から離脱させた後に、巻取パイプ１２を回転させると、３つの回転用凹溝２８ａが３つの固定用凹部２７ａに一致し、３つの可動片３９の先端部が圧縮コイルばね４１の弾性力により３つの回転用凹溝２８ａ内に突出するため、切換手段３７がばね供回り位置に切換わる（図１及び図３）。即ち、初巻調整装置１８の回転リング２８が固定リング２７に固定されるとともに、巻取パイプ１２の回転リング２８及び初巻調整用ケース２９への固定が解除されるため、巻取ばね１６の一端が固定輪３４、固定軸３２、出力軸２６、初巻調整用ケース２９、回転リング２８及び固定リング２７を介して一方のサイドプレート１３に結合され、巻取ばね１６の他端が動輪３３を介して巻取パイプ１２に結合される。これにより巻取ばね１６のばね力が巻取パイプ１２と一方のサイドプレート１３との間に作用する。この状態でスクリーン１１を引出す方向に巻取パイプ１２を僅かに回転させると、操作クラッチ２２により巻取ばね１６のばね力による巻取パイプ１２の巻取り方向への回転が許容されるので、巻取ばね１６に蓄えられたばね力が巻取パイプ１２に伝達されて、スクリーン１１は巻取パイプ１２に巻取られる。この結果、スクリーン１１の巻取パイプ１２への脱着作業を慎重に行うことなく比較的無造作に行うことができるので、この作業を極めて短時間で容易に行うことができる。また上記作業では、スクリーン１１を巻取パイプ１２から引出すときに、スクリーン１１を巻取ばね１６のばね力に抗して引出す必要があるけれども、交換又は洗濯したスクリーン１１の一端を巻取パイプ１２に取付けた後に、切換手段３７のスライド部材３８を可動片３９から離脱させて、切換手段３７をばね供回り位置に切換えると、巻取ばね１６のばね力によりスクリーン１１を巻取パイプ１２に巻取ることができるので、スクリーンを１１巻取パイプ１２に巻取る作業が容易になる。
【００３０】
一方、スクリーン１１を巻取パイプ１２から全く引出さない状態或いは僅かに引出した状態で、ばね力保持機構３６により巻取ばね１６のばね力を解放不能に保持すると、即ちスライド部材３８を摺動させてスライド部材３８の３つのスライド突片３８ｂを３つの可動片３９の傾斜面３９ａにそれぞれ圧接すると、切換手段３７がフリー位置に切換わって、巻取パイプ１２が巻取ばね１６とは独立して自由に回転する。この結果、巻取パイプ１２に巻取ばね１６のばね力を全く作用させることなく、スクリーン１１を巻取パイプ１２から引出すことができるので、スクリーン１１を巻取パイプ１２から引出す作業が容易になる。
【符号の説明】
【００３１】
１０  ロールスクリーン
１１  スクリーン
１２  巻取パイプ
１３  一方のサイドプレート（支持部材）
１４  他方のサイドプレート（支持部材）
１６  巻取ばね
３６  ばね力保持機構
３７  切換手段
３８  スライド部材
３９  可動片
【図１】
0005595062.tif 000002
【図２】
0005595062.tif 000003
【図３】
0005595062.tif 000004
【図４】
0005595062.tif 000005
【図５】
0005595062.tif 000006
【図６】
0005595062.tif 000007
【図７】
0005595062.tif 000008